(57)【特許請求の範囲】
【請求項１】
天井スラブより吊持される吊天井と、吊天井の側面と壁面との隙間を塞ぐ塞ぎ材とを備え、
塞ぎ材は、取付部材と塞ぎ材本体の二部材からなり、取付部材は、壁面に固定され、塞ぎ材本体は、一端が取付部材に上下回動自在に支持され、他端が吊天井端面を覆う見切材の上端に当接し、一端を中心に上下方向に揺動して吊天井と壁面との隙間を塞ぐことを特徴とする天井構造。
【請求項２】
天井スラブより吊持される隣接する二つの吊天井と、隣接する吊天井の隙間を塞ぐ塞ぎ材とを備え、
塞ぎ材は、取付部材と塞ぎ材本体の二部材からなり、取付部材は、一方の吊天井の端面に固定され、塞ぎ材本体は、一端が取付部材に上下回動自在に支持され，他端が他方の吊天井の端面を覆う見切材の上端に当接し、一端を中心に上下方向に揺動して吊天井同士の隙間を塞ぐことを特徴とする天井構造。
【発明の詳細な説明】
【技術分野】
【０００１】
天井スラブより吊持される吊天井を用いた天井構造に関する。
【背景技術】
【０００２】
天井構造として、天井スラブより吊持される吊天井を用いたものが知られており、吊天井の落下を防止するとともに、天井と壁面との間に生じる隙間を覆う壁見切を壁面に配置した天井構造が公知となっている。（特許文献１）。
【先行技術文献】
【特許文献】
【０００３】
【特許文献１】特開平６−９３６８０号公報
【発明の概要】
【発明が解決しようとする課題】
【０００４】
前記特許文献１の天井構造は、通常状態において、吊天井と壁面との間を塞ぎ、室内空間と天井裏の空間との連通を防止することはでき、また、比較的小さな地震に対しては吊天井の振動を抑えることができる。
しかしながら、比較的大きな地震が発生したときには吊天井が大きく振り子のように揺れて、吊天井の端面が壁見切に当接して壁見切を破損してしまう可能性があった。
【０００５】
本発明は、上記の事情を鑑み、吊天井と壁面との間の隙間、もしくは吊天井同士の間の隙間が見えないように隠してほこりが入り込むことを防止し、且つ、空気の流入を抑制して冷暖房効率を向上させるとともに、大きな地震により吊天井と壁面、吊天井同士の位置関係が水平方向及び垂直方向に変化しても、塞ぎ材が追随して可動するだけで、塞ぎ材や吊天井が衝突して破損することを防止できる天井構造を提供することを目的とするものである。
【課題を解決するための手段】
【０００６】
本発明の請求項１に係る発明は、天井スラブより吊持される吊天井と、吊天井の側面と壁面との隙間を塞ぐ塞ぎ材とを備え、塞ぎ材は、取付部材と塞ぎ材本体の二部材からなり、取付部材は、壁面に固定され、塞ぎ材本体は、一端が取付部材に上下回動自在に支持され、他端が吊天井端面を覆う見切材の上端に当接し、一端を中心に上下方向に揺動して吊天井と壁面との隙間を塞ぐことを特徴とする。
また、本発明の請求項２に係る発明は、天井スラブより吊持される隣接する二つの吊天井と、隣接する吊天井の隙間を塞ぐ塞ぎ材とを備え、塞ぎ材は、取付部材と塞ぎ材本体の二部材からなり、取付部材は、一方の吊天井の端面に固定され、塞ぎ材本体は、一端が取付部材に上下回動自在に支持され，他端が他方の吊天井の端面を覆う見切材の上端に当接し、一端を中心に上下方向に揺動して吊天井同士の隙間を塞ぐことを特徴とする。
【発明の効果】
【０００７】
塞ぎ材が見切材の上端に当接して吊天井と壁面との隙間、もしくは吊天井同士の隙間を塞ぐので、天井裏から室内空間への空気の流入を抑制して冷暖房効率を向上させるとともに、地震時に建造物が揺れることにより、壁面や吊天井等が揺れて相互の位置関係が変化しても、塞ぎ材が追随して可動するので、塞ぎ材や吊天井が衝突することがなく、側壁、塞ぎ材及び吊天井の破損を防止できる。
【図面の簡単な説明】
【０００８】
【図１】本発明の実施形態に係る天井構造の縦断面図である。
【図２】本発明の第１の実施形態に係る天井構造の図であり、吊天井と壁面との接合部の縦断面図である。
【図３】本発明の第２の実施形態に係る天井構造の図であり、隣接する吊天井の接合部の縦断面図である。
【図４】本発明の第３の実施形態に係る天井構造の図であり、隣接する吊天井の接合部の縦断面図である。
【図５】本発明の第４の実施形態に係る天井構造の図であり、吊天井と壁面との接合部の縦断面図である。
【図６】本発明の第５の実施形態に係る天井構造の図であり、吊天井と壁面との接合部の縦断面図である。
【図７】本発明の第６の実施形態に係る天井構造の図であり、隣接する吊天井の接合部の縦断面図である。
【図８】本発明の第７の実施形態に係る天井構造の図であり、吊天井と壁面との接合部の縦断面図である。
【発明を実施するための形態】
【０００９】
−天井構造の全体構成−
本発明の実施形態の天井構造について、図面を参照して説明する。
（全体の構成）
図１に示すように、本発明の第１の実施形態の天井構造は、天井スラブＡから複数の吊ボルト部材１ｂを介して吊下される吊天井１１と、壁スラブＢに対して固定される側壁２と、吊天井１１と側壁２との間に生じる隙間を塞ぐ塞ぎ材３とにより構成され、また、第２の実施形態の天井構造は、天井スラブＡから複数の吊ボルト部材１ｂを介して吊下される複数の吊天井１１，１１と、隣接する吊天井１１，１１の間に生じる隙間を塞ぐ塞ぎ材４とにより構成される。
【００１０】
−第１の実施形態−
（吊天井の構成）
図１、２にしめすように、本発明の第１の実施形態の吊天井１１は、天井スラブＡに埋設されたアンカー１ａに固定されて垂設される吊ボルト部材１ｂと、垂設された複数の吊ボルト部材１ｂの下端にハンガー１ｃを介して支持される野縁受け１ｄと、野縁受け１ｄに対して直交するように配置されて支持される野縁１ｅと、野縁１ｅに支持される天井材１ｆとから構成されており、天井材１ｆの側端部には、天井材１ｆ、野縁受け１ｄの端面を覆うように見切材５１が取り付けられている。
【００１１】
壁スラブＢには、図示しない下地材等を介して側壁２が固定されており、吊天井１１は、地震時等に吊天井１１が揺れたときに天井材１ｆの側端部と側壁２とが接触して破損することがないように、天井材１ｆの側端部と側壁２との間に間隔ｓ１をあけて配置されている。
【００１２】
見切材５１は、吊天井１１の端部に設けられ、天井材１ｆの側端部に固定するために側方に開口する溝状の取付部５１ａと、取付部５１ａの底壁が上方に延設されてなる見切壁部５１ｂとから構成されており、見切壁部５１ｂは野縁受け１ｄの上面位置よりも上方位置に至るまで延設され、その上方端は天井材１ｆが固定される方向に屈曲されて上面部５１ｃが形成されている。
そして、見切材５１の上面部５１ｃは、後述する塞ぎ材３の塞ぎ材本体３２の下面との摩擦を軽減するために滑りテープ等を配置するなどの摩擦軽減処理が施されており、地震時に塞ぎ材本体３２と見切材５１との衝突音を軽減している。
【００１３】
（塞ぎ材の構成）
図２にしめすように、本発明の第１の実施形態の塞ぎ材３は、側壁２に固定されその下方位置に内方（吊天井の端面に向かう方向）に開口する軸受け３１ａが形成されている取付部材３１と、取付部材３１の軸受け３１ａに対して上下方向に例えば６０度の揺動範囲をもって揺動可能に支持される塞ぎ材本体３２とから構成されている。
取付部材３１は、側壁２の左右方向全長に亘って天井材１ｆの下面よりも上方位置において固定され、固定された状態では、取付部材３１の軸受け３１ａが天井材１ｆに固定された見切材５１の上面部５１ｃと略同じ高さに位置している。
【００１４】
塞ぎ材本体３２は、長尺の板状に形成され、長辺の一辺をなす外周辺には取付部材３１の軸受け３１ａに保持される軸３２ａが設けられており、軸３２ａを取付部材３１の軸受け３１ａに保持させることにより、室内の内周方向に向かって長辺の他端先端が上下方向に揺動するように配置される。
塞ぎ材本体３２の短尺方向の寸法は、天井材１ｆの側端部と側壁２との間隔ｓ１よりも十分に大きく、通常時には、吊天井１１の端部に設けられる見切材５１の上面部５１ｃに対して、塞ぎ材本体３２の下面の短尺方向の略中間部位が載置されている。
そして、塞ぎ材３は、その端部において斜め切りされ、室内角部において、天井の他の辺に配置された塞ぎ材と斜め切りされた端部同士を突き合わせて連続している。
【００１５】
以上のように、天井材１ｆの側端部と側壁２との間には、地震時において吊天井１１が揺れた場合であっても側壁２と接触しない十分な間隔ｓ１が設けられており、吊天井１１と側壁２との隙間は、間隔ｓ１よりも十分に大きな幅寸法を有する塞ぎ材３により閉塞されているので、地震時においても、吊天井１１や側壁２の破損を防止しながら、天井裏の空間と室内空間との間を分離することができる。
そして、塞ぎ材３の塞ぎ材本体３２が側壁２に対して上下動自在に支持されているので、地震時に吊天井１１が揺動して吊天井１１の側端部と側壁２との水平方向及び垂直方向の位置関係が変化しても、図２の点線に示すように、塞ぎ材本体３２が揺動することにより塞ぎ材と吊天井とが衝突することが防止し、側壁、塞ぎ材及び吊天井の破損を防ぐことができ、地震後には、各部材は地震前の状態に復帰することができる。
【００１６】
−第２の実施形態−
第１の実施形態が吊天井と側壁との間の隙間を塞ぐ塞ぎ材を備える天井構造であるのに対して、第２の実施形態は、塞ぎ材が吊天井同士の間の隙間を塞ぐものである点で相違している。
（吊天井の構成）
本発明の第２の実施形態は、第１の実施形態において説明した吊天井が隣接して設けられており、隣接した吊天井１１，１２の対向する側面には、図３に示すように、それぞれ天井材１ｆ、野縁受け１ｄの端面を覆うように見切材５１，５２が取り付けられている。  なお、図３に示すように、第２実施形態の見切材５１，５２は、第１の実施形態と同様の構成であるので、その説明は省略する。
そして、第２の実施形態においては、一方の吊天井１１の側端部に設けられて、隣接する吊天井１１，１２間の隙間ｓ２を塞ぐ塞ぎ材４が配置されている。
【００１７】
（塞ぎ材の構成）
本発明の第２の実施形態の塞ぎ材４は、一方の吊天井１１の側端部上面に固定され、他方の吊天井１２に向かう方向に開口する軸受け４１ａが形成されている取付部材４１と、取付部材４１の軸受け４１ａに対して上下方向に揺動可能に支持される塞ぎ材本体４２とから構成されている。
取付部材４１は、見切材５１の上面部５１ｃに載置された状態で吊天井１１の側端に沿って全長に亘って配置され、吊ボルト部材１ｂの下端に支持される野縁受け１ｄに対してＬ型の金具４３を介して取り付けられ、取付けられた状態では、取付部材４１の軸受け４１ａが見切材５１の上方位置より他方の吊天井１２に向けて開口している。
【００１８】
塞ぎ材本体４２は、長尺の板状に形成され、長辺の一辺をなす外周辺には取付部材４１の軸受け４１ａに保持される軸４２ａが設けられており、軸４２ａを取付部材４１の軸受け４１ａに保持させることにより、他方の吊天井１２に向かって長辺の他辺の先端が上下方向に揺動するように配置される。
塞ぎ材本体４２の短尺方向の寸法は、吊天井１１，１２の側端部の間隔ｓ２よりも十分に大きく、一方の吊天井１１の端部に設けられた塞ぎ材４の塞ぎ材本体４２の下面の短尺方向の略中間部位が、他方の吊天井１２の端部に設けられる見切材５２の上面部５２ｃに載置されている。
【００１９】
以上のように、隣接する吊天井１１，１２の間には、地震時において吊天井１１，１２が揺れた場合であっても吊天井１１，１２同士が接触しない十分な間隔ｓ２が設けられており、かつ、吊天井１１，１２同士の隙間は、間隔ｓ２よりも十分に大きな幅寸法を有する塞ぎ材４により覆われているので、地震時の吊天井の破損を防止しながら、吊天井間の隙間を塞いで天井裏の空間と室内空間との間を分離することができる。
そして、塞ぎ材４の塞ぎ材本体４２が一方の吊天井１１に対して上下動自在に支持されているので、地震時に吊天井１１，１２が揺動して隣接する吊天井１１，１２の側端部の水平方向及び垂直方向の位置関係が変化しても、図３の点線に示すように、塞ぎ材本体３２が揺動することにより塞ぎ材と吊天井とが衝突することが防止でき、塞ぎ材及び吊天井の破損を防ぐことができ、地震後には、各部材は地震前の状態に復帰することができる。
【００２０】
−第３の実施形態−
本発明の第３の実施形態を、図４に示す。第３の実施形態の天井構造は、第２の実施形態の変形例であり、高さ位置の異なる吊天井が段差を介して隣接する場合に採用される実施形態である。
図４に示すように、段差を有して隣接される吊天井１１，１３においては、下方に配置される吊天井１３の側端部には、上方に配置される吊天井１１との高さ方向に生じる間隙を塞ぐために立壁１３１が配置されている。立壁１３１は、天井材１ｆの端部から上方に向けて立設され、その上端部は見切材５３により覆われており、野縁受け１ｄの端部にボルト等により垂直に固定されるアングル材１ｇを介して固定されているとともに、立壁１３１の下端と天井材１ｆとは縁材５６により連結されている。
【００２１】
塞ぎ材４は、上方に配置される吊天井１１の側端面の見切材５１１に対して取付部材４１が固定されることにより支持されており、上方の吊天井１１の側端面から伸びる塞ぎ材本体４２の下面が、下方に配置される吊天井１３の立壁１３１の上端に載置されることにより、段差を有して隣接される吊天井同士の水平方向の隙間を覆っている。
【００２２】
−第４の実施形態−
本発明の第４の実施形態を、図５に示す。第４の実施形態の天井構造は、第１の実施形態の変形例であり、吊天井１１が水平に対して傾斜した状態で吊り下げられている場合に採用される実施形態である。
図５に示すように、吊天井１１が水平に対して傾斜した状態で吊り下げられている場合であっても、側壁２に支持された塞ぎ材３の塞ぎ材本体３２が吊天井１１の側壁部に配置される見切材５１の上面部５１ｃに載置されることにより、第１の実施形態と同様に、側壁２と吊天井１１との隙間を塞ぐことできる
【００２３】
−第５の実施形態−
本発明の第５の実施形態を、図６に示す。第５の実施形態の天井構造は、第４の実施形態の変形例であり、第４の実施形態と同様に、吊天井が傾斜した状態で吊り下げられている場合に採用される実施形態であるが、吊天井１４の側端面を覆う見切材５４が第４の実施形態の見切材５１と相違している。
図６に示すように、吊天井１４の天井材１ｆの端部に取り付けられる見切材５４は、見切壁部５４ｂが垂直面を形成するように吊天井１４に対して上下の取付金具５４ｄ，５４ｅを介して取り付けられている。見切材５４の下端には、延長部材５４ｆが固定され、第４の実施形態に使用される見切材５１と同じ部材を用いながら、傾斜した吊天井の端面を覆う見切壁部５４ｂを垂直にして支持することができ、第１の実施形態と同様に見切材５４の上面部５４ｃに対して塞ぎ材３を当接することができる。
このように、見切材５４の上面部５４ｃを水平面にすることができるので、塞ぎ材３と見切材５４との当接が面同士の接触により行われ、塞ぎ材３を安定して載置することができ、天井裏空間と室内空間との隔離をより確実に行うことができる。
【００２４】
−第６の実施形態−
本発明の第６の実施形態を、図７に示す。第６の実施形態の天井構造は、第３の実施形態の変形例であり、高さ位置の異なる吊天井が、一方の吊天井１５を傾斜させて隣接する場合に採用される実施形態である。
図７に示すように、一方の吊天井１５を傾斜させて隣接される吊天井においては、塞ぎ材４は、上方に配置される吊天井１１の側端面の見切材５１１に対して取付部材４１が固定されることにより支持されており、上方の吊天井１１の側端面から伸びる塞ぎ材本体４２の下面が、下方に配置される吊天井１５の見切材５５の上面部５５ｃに載置されることにより、吊天井１１，１５の水平方向の隙間を覆っている。
【００２５】
以上のように、本発明の第１，４，５の実施形態においては、吊天井と側壁との間に、地震時に両者が接触しない十分な間隔を設けながら、その間隔を側壁に対して上下揺動自在に支持された塞ぎ材により塞ぐことにより、地震時に吊天井が揺れたときであっても、吊天井と側壁との位置関係の変化を吸収して間隔を塞ぐことを維持することができ、天井裏の空間からほこり等が室内へ落下等することを防止できる。
【００２６】
また、本発明の第２，３，６の実施形態においては、吊天井同士の間に、地震時に両者が接触しない十分な間隔を設けながら、その間隔を一方の吊天井に対して上下揺動自在に支持された塞ぎ材により塞ぐことにより、地震時に吊天井が揺れたときであっても、吊天井同士の位置関係の変化を吸収して間隔を塞ぐことを維持することができ、天井裏の空間からほこり等が室内へ落下等することを防止できる。
【００２７】
そして、いずれの実施形態においても、塞ぎ材が見切材の上端に当接して吊天井と壁面との隙間、もしくは吊天井同士の隙間を塞ぐので、天井裏から室内空間への空気の流入を防いで冷暖房効率を向上させることができる。
また、地震時に建造物が揺れることにより、壁面や吊天井等が揺れて相互の位置関係が変化しても、塞ぎ材が追随して可動するので、塞ぎ材や吊天井が衝突することがなく、側壁、塞ぎ材及び吊天井の破損を防止できる。
さらに、塞ぎ材の下面が当接する見切り材等の部材には、滑りテープ等を貼り付けるなどの摩擦軽減処理が施されているので、見切材等の部位に対する塞ぎ材の動きがスムーズであり、比較的小さな地震時においても異音などを発することなく、吊天井と側壁もしくは吊天井同士の間の閉塞を維持することができる。
【００２８】
本発明の第７の実施形態を、図８に示す。第７の実施形態の天井構造は、第１の実施形態の天井構造において、見切材として、その上面部５７ｃに例えばモヘア等の緩衝部８が設けられた見切材５７を用い、塞ぎ材３の塞ぎ材本体３２を見切材５７の緩衝部８を介して支持している。緩衝部８は、例えば長さ１００ｍｍ程度の短尺の緩衝材を見切材５７の長手方向の複数箇所（例えば、長手方向両端部及び中央部の３カ所）においてその上面部５７ｃに対して両面テープ等により取り付けることなどによって形成することができる。緩衝部８により、見切り材５１の上面部５１ｃと塞ぎ材３の塞ぎ材本体３２との間には、例えば２ｍｍ程度の間隔ｔが設けられ、モヘア等による緩衝部８がへたるなどした状態であっても、見切材５７の金属部分と塞ぎ材３とが直接接触しないように構成されている。
そして、本発明の第７の実施形態における、見切材の上面に緩衝部を設ける点は、第１の実施形態のタイプの天井構造のみならず、第２乃至第６の実施形態のいずれのタイプの天井構造にも採用することができ、それにより、上記実施形態１乃至６が奏する効果に加え、例えば、ドアの開閉衝撃、航空機、電車、トラック通過等によって発生する微振動による音鳴りが防止できる。
【００２９】
なお、見切材の上面に形成する緩衝部は、モヘアによるものに限られるものではなく、例えばゴムやシリコンなどの弾性、振動吸収性等を有する部材であれば、その材料は何ら限定されるものではない。
また、本発明の塞ぎ材の構成は、上記実施形態の形状に限定されるものではなく、また、塞ぎ材が当接する見切材等の形状や構成についても、上記実施形態に限定されるものではない。
【符号の説明】
【００３０】
１ａ    ：アンカー
１ｂ    ：吊ボルト部材
１ｃ    ：ハンガー
１ｄ    ：野縁受け
１ｅ    ：野縁
１ｆ    ：天井材
１ｇ    ：アングル材
１１    ：吊天井
１２    ：吊天井
１３    ：吊天井
１３１  ：立壁
１４    ：吊天井
１５    ：吊天井
２      ：側壁
３      ：塞ぎ材
３１    ：取付部材
３１ａ  ：軸受け
３２    ：塞ぎ材本体
３２ａ  ：軸
４      ：塞ぎ材
４１    ：取付部材
４１ａ  ：軸受け
４２    ：塞ぎ材本体
４２ａ  ：軸
４３    ：金具
５１    ：見切材
５１ａ  ：取付部
５１ｂ  ：見切壁部
５１ｃ  ：上面部
５１１  ：見切材
５２    ：見切材
５２ｃ  ：上面部
５３    ：見切材
５４    ：見切材
５４ｂ  ：見切壁部
５４ｃ  ：上面部
５４ｄ  ：取付金具
５４ｅ  ：取付金具
５４ｆ  ：延長部材
５５    ：見切材
５５ｃ  ：上面部
５６    ：縁材
５７    ：見切材
Ａ      ：天井スラブ
Ｂ      ：壁スラブ
【図１】
0006489996.tif 000002
【図２】
0006489996.tif 000003
【図３】
0006489996.tif 000004
【図４】
0006489996.tif 000005
【図５】
0006489996.tif 000006
【図６】
0006489996.tif 000007
【図７】
0006489996.tif 000008
【図８】
0006489996.tif 000009